(57)【要約】【課題】縦横方向に配置される間仕切り壁の交差部において使用される部材の品種を削減することにより、内装の設計効率を向上させるとともに、建物内のスペースを効率良く利用することができる間仕切り壁の構造を提供する。【解決手段】  建物内の床面３に縦横に所定の基準寸法単位ｔで設定される仮想のグリッド線Ｇに沿って、間仕切り壁１を構成する一方のパネル７ａと他方のパネルｂとを配置することにより間仕切り壁１の厚みが前記基準寸法単位ｔで厚くなるように間仕切り壁１を構成する。【選択図】図１
2010189987.tif 000002
【特許請求の範囲】
【請求項１】
枠体の前後両側の開口部にパネルが配設されてなる間仕切り壁が、縦横に所定の基準寸法単位でひかれる仮想のグリッド線が設定された床面に配置される間仕切り壁の構造であって、
前記間仕切り壁を構成する一方のパネルと他方のパネルとが、それぞれ前記仮想のグリッド線に沿って配置されるように前記枠体の前後方向の長さが設定されることを特徴とする間仕切り壁の構造。
【請求項２】
前記間仕切り壁が、縦横に配置されて角部が形成される際、前記枠体に配設される前記パネルのうち出隅側に配設されるそれぞれのパネルに対して直交方向に配置されている前記間仕切り壁の厚み分の寸法だけ前記それぞれのパネルを大きくすることを特徴とする請求項１記載の間仕切り壁の構造。
【請求項３】
前記枠体は、縦枠材と横枠材により矩形枠状に枠組みされたものであって、前記縦枠材と前記横枠材により囲まれた内部空間を収納空間とすることを特徴とする請求項１又は２記載の間仕切り壁の構造。
【請求項４】
前記縦枠材と前記横枠材により矩形枠状に枠組みされた前記枠体の一方の開口部には、該開口部を開閉自在とする扉を設け、他方の開口部には、該開口部を閉鎖するパネルを設けた収納部を形成することを特徴とする請求項３記載の間仕切り壁の構造。
【請求項５】
前記基準寸法単位は、１００ミリであることを特徴とする請求項１乃至４のいずれかに記載の間仕切り壁の構造。
【発明の詳細な説明】
【技術分野】
【０００１】
本発明は、建物内の床面に配置される間仕切り壁の構造に関する。
【背景技術】
【０００２】
建物内の室内空間を仕切るために間仕切り壁を利用することは良く知られている。一般的に、間仕切り壁の横幅寸法は、９１０ミリや１０００ミリの基準長さ単位（モジュール）に従って設計されており、このようなモジュール単位で設計された間仕切り壁により室内の内装設計等が行われていた。従来、このような間仕切り壁を床面に設置する際には、図８に示すように、目的に応じた厚みを有する間仕切り壁１００の壁芯が、図中の１点鎖線で示している１モジュール単位に設定された仮想のグリッド線Ｇ上に乗るように設置されていた。
【０００３】
そのため、縦横に配置された間仕切り壁１００の交差部には、切欠部１０１が生じることになる。そこで、従来においては、この切欠部１０１を埋めるために、例えば、特許文献１に開示されているような結合材１０２が用いられていた。
【先行技術文献】
【特許文献】
【０００４】
【特許文献１】特許番号第２５３５７０４号公報
【発明の開示】
【発明が解決しようとする課題】
【０００５】
しかしながら、従来は、間仕切り壁の壁厚まで含めてモジュール化されていないため、出入隅やＴ字部、十字部等といった縦方向、横方向に配置される間仕切り壁の交差部においてそれぞれに応じた多品種の部材が必要になるという問題があった。
本発明は上記のような種々の課題に鑑みてなされたものであって、縦横方向に配置される間仕切り壁の交差部において使用される部材の品種を削減することにより、内装の設計効率を向上させるとともに、建物内のスペースを効率良く利用することができる間仕切り壁の構造を提供することを目的とする。
【課題を解決するための手段】
【０００６】
上記目的を達成するために、請求項１記載の間仕切り壁の構造では、枠体の前後両側の開口部にパネルが配設されてなる間仕切り壁が、縦横に所定の基準寸法単位でひかれる仮想のグリッド線が設定された床面に配置される間仕切り壁の構造であって、前記間仕切り壁を構成する一方のパネルと他方のパネルとが、それぞれ前記仮想のグリッド線に沿って配置されるように前記枠体の前後方向の長さが設定されることを特徴としている。
【０００７】
請求項２記載の間仕切り壁の構造では、請求項１記載の間仕切りシステムにおいて、前記間仕切り壁が、縦横に配置されて角部が形成される際、前記枠体に配設される前記パネルのうち出隅側に配設されるそれぞれのパネルに対して直交方向に配置されている前記間仕切り壁の厚み分の寸法だけ前記それぞれのパネルを大きくすることを特徴としている。
【０００８】
請求項３記載の間仕切り壁の構造では、請求項１又は２記載の間仕切りシステムにおいて、前記枠体は、縦枠材と横枠材により矩形枠状に枠組みされたものであって、前記縦枠材と前記横枠材により囲まれた内部空間を収納空間とすることを特徴としている。
【０００９】
請求項４記載の間仕切り壁の構造では、請求項３記載の間仕切りシステムにおいて、前記縦枠材と前記横枠材により矩形枠状に枠組みされた前記枠体の一方の開口部には、該開口部を開閉自在とする扉を設け、他方の開口部には、該開口部を閉鎖するパネルを設けた収納部を形成することを特徴としている。
【００１０】
請求項５記載の間仕切り壁の構造では、請求項１乃至４のいずれかに記載の間仕切りシステムにおいて、前記基準寸法単位は、１００ミリであることを特徴としている。
【発明の効果】
【００１１】
請求項１記載の間仕切り壁の構造によれば、間仕切り壁を構成する一方のパネルと他方のパネルとが、所定の基準寸法単位で床面に設定された仮想のグリッド線に沿うように配置されるので、間仕切り壁の厚みは、基準寸法単位で厚くなるように構成される。そのため、厚みが異なる間仕切り壁を縦横に配置してなる交差部においても、厚みが同一の間仕切り壁を縦横に配置してなる交差部と共通の部材を使用することが可能になるので、間仕切りに使用する部材の品種を削減することができる。これにより、内装設計の効率を向上させることができる。
【００１２】
請求項２記載の間仕切り壁の構造によれば、間仕切り壁が、縦横に配置されて角部が形成される際、枠体に配設されるパネルのうち出隅側に配設されるそれぞれのパネルを、直交方向に配置されている間仕切り壁の厚み分の寸法だけ大きくすることにより、出隅側に必要となる部材をそれぞれの間仕切り壁の厚みに関係なく共通化させることができる。これにより、間仕切りに使用する部材の品種を削減することができるので、内装設計の効率を向上させることができる。
【００１３】
請求項３記載の間仕切り壁の構造によれば、縦枠材と横枠材により矩形枠状に枠組みされた枠体の内部空間を収納空間とすることにより、間仕切り壁の壁体内の空間を有効に利用することができる。
【００１４】
請求項４記載の間仕切り壁の構造によれば、枠体の一方の開口部には扉が設けられ、他方の開口部にはパネルが設けられることにより収納部が形成される。これにより、間仕切り壁は、間仕切り壁としての機能及び収納機能を備えることになるため、収納部の側面や背面に接して間仕切り壁を別途配置しなくても、収納部自体が間仕切り壁としての役割も担うことができるので、部品数を削減できるとともに、収納空間を効率良く確保することができる。また、収納部は、通常の間仕切り機能のみを有する間仕切り壁と共通の設計で形成されるので、設計が簡易化され、作業効率の向上を図ることができる。
【００１５】
請求項５記載の間仕切り壁の構造によれば、基準寸法単位が１００ミリに設定されることにより、間仕切り壁の厚みを用途に応じて詳細に設計できるので、使用者のニーズに対応した多様な設計が可能になる。
【図面の簡単な説明】
【００１６】
【図１】本発明に係る間仕切り壁の構造の一例を示す平面断面図である。
【図２】間仕切り壁を構成する枠体及びパネルの一例を示す斜視図である。
【図３】本発明に係る間仕切り壁の構造を説明するための側面断面図である。
【図４】本発明に係る間仕切り壁の構造の他の一例を示す平面断面図である。
【図５】本発明に係る間仕切り壁の構造の更に他の一例を示す平面断面図である。
【図６】間仕切り壁の連結構造を示す平面断面図である。
【図７】従来の収納部の設置例を示す平面断面図である。
【図８】従来の間仕切り壁の配置例を示す平面配置図である。
【発明を実施するための形態】
【００１７】
以下に本発明における間仕切り壁１の構造について、各図面を用いて説明する。図１では、建物のスケルトンを構成する軸組（外周壁）２の内側のインフィル空間の床面３に縦横に所定の基準寸法単位（モジュール）ｔで仮想のグリッド線Ｇがひかれている。本実施形態では、外周壁２のモジュール芯Ｎから内側の５０ミリの位置にひかれたグリッド線Ｇに沿うように、外周内壁４を構成する壁パネル５が、外周内壁スタッド６に取付けられて配置されている。そして、外周内壁４の内側では、所定の基準寸法単位ｔ（１００ミリ単位）で、グリッド線Ｇがひかれている。
【００１８】
本発明に係る間仕切り壁１の構造は、図１に示すように、床面３に設定されている仮想のグリッド線Ｇに沿うように、間仕切り壁１を構成する一方のパネル７ａと他方のパネル７ｂが配置されて構成されるものである。間仕切り壁１は、例えば、図２に示すような縦枠材８と横枠材９により矩形枠状に枠組みされた枠体１０の前後両面にパネル７が配設されて構成される。パネル７は、長方形状に形成されており、複数のパネル７が枠体１０の前後両面に配設されることにより、枠体１０の前後両側の間仕切り壁１の開口部１１が閉鎖される。また、パネル７としては、図２，３に示すように、枠体１０の高さ方向に複数配設されるような形状以外にも、枠体１０の高さとほぼ同等の高さを有するパネル７を用いても良い。また、内装の設計変更やメンテナンス等を容易にするために、パネル７は、枠体１０に取付取外し自在な構成であることが好適であり、例えば、枠体１０に不図示の取付金具等を固定し、その取付金具にパネル７が取付けられるように構成しても良い。
【００１９】
枠体１０の厚みは、図１に示すように、基準寸法単位ｔの整数倍になるように形成されている。図１に示す間仕切り壁１ａでは、枠体１０ａの厚みは、１００ミリで形成されており、その前後両面にパネル７ａ、７ｂがそれぞれグリッド線Ｇに沿うように配置されている。また、間仕切り壁１ｂでは、その枠体１０ｂの厚みが基準寸法単位ｔの４倍である４００ミリで形成されており、その前後両面にパネル７ａ、７ｂがそれぞれグリッド線Ｇに沿うように配置される。この間仕切り壁１ｂは、幅６００ミリ、厚み４００ミリの枠体１０ｂを用いて構成されており、この枠体１０ｂによって囲まれる空間を収納空間Ｓとして利用することにより、建物内のスペースを有効に利用することができる。
【００２０】
このような構造で、それぞれの間仕切り壁１を構成することにより、間仕切り壁１の厚みを１００ミリ単位で厚くすることができる。そのため、設計用途に応じて、間仕切り壁１の厚みを変更するような場合でも、それぞれのパネル７ａ、７ｂをグリッドＧ線に沿うように配置すれば良いので、設計効率を向上させることができる。
【００２１】
間仕切り壁１ｃは、図３，４に示すように、基準寸法単位ｔの４倍の厚みを有する枠体１０の一方の開口部１１ａにパネル７を配設して、他方の開口部１１ｂには、パネル７の代わりに開口部１１ｂを開閉自在にする扉１２を設けたものである。このような構造を有する間仕切り壁１ｃは、矩形枠状の枠体１０の内部空間を収納空間Ｓとして利用することにより、間仕切り機能だけでなく、収納機能を有する収納部１ｃとしての役割も果たすことができる。
【００２２】
また、従来の収納部を設けた構造では、例えば、図７に示すように、収納部２００と間仕切り壁２０１の構造が異なるため、収納部２００は、側面２０２や背面２０３における間仕切り壁２０１の有無や該間仕切り壁２０１の壁厚に収納空間Ｓのサイズが影響される。そのため、それぞれの条件に応じたサイズの収納部２００が必要になるため、品種が増えることになるが、図４に示す本発明に係る間仕切り壁（収納部）１ｃの構造では、基準寸法単位ｔで設定されているグリッド線Ｇに沿うように、扉１２及びパネル７を配置するという間仕切り壁１ａ，１ｂと共通の設計で形成することができる。そのため、部品の品種を増やす必要がなく、設計を簡易化することができ、作業効率を向上させることができる。
【００２３】
また、収納部１ｃは、間仕切りとしての機能も有しているので、収納部１ｃの側面にあたる枠体１０の縦枠材８及び背面にあたるパネル７に面して配置される間仕切り壁を無くして設計することができる。これにより、収納部１ｃでは、収納部１ｃに面する間仕切り壁１の有無や当該間仕切り壁１の壁厚に影響されることなく、収納空間Ｓを効率良く確保することができ、スペースを有効に活用することができる。尚、図４では、収納部１ｃと該収納部１ｃに対して直交して配置される間仕切り壁１ａによって角部が形成されており、入隅側は、間仕切り壁１ａのパネル７ａと収納部１ｃの背面にあたるパネル７により形成されている。また、出隅側には、間仕切り壁１ａのパネル７ｂが、収納部１ｃの厚み寸法分大きく設けられ、このパネル７ｂ及び収納部１ｃの縦枠材８により収納部１ｃの側面が形成されている。
【００２４】
収納部１ｃの内部には、図３に示すように、枠体１０に補強芯材１３を組み付けて、この補強心材１３を棚板として利用することにより、収納部１ｃ内の収納空間Ｓを複数設けることも可能である。
【００２５】
図５は、本発明に係る間仕切り壁の他の構造を示しており、間仕切り壁１ｄでは、引き戸１４を収納可能な空間Ｖが内部に設けられている。間仕切り壁１ｄのそれぞれのパネル７ａ、７ｂは、基準寸法単位ｔの幅を有して配置されている。間仕切り壁１ｄのパネル７ａ、７ｂの枠体１０ｄは、基準寸法単位ｔよりも薄く形成されており、それぞれ間仕切り壁１ｄの厚み方向に並列して設置されている。そして、このそれぞれの枠体１０ｄの一方の面にパネル７ａ、７ｂがそれぞれ配設されて間仕切り壁１ｄが構成される。また、並列して設置されているそれぞれの枠体１０ｄの間には、レール１５に沿ってスライド可能な引き戸１４が収納される空間Ｖが形成される。
【００２６】
図５中左側の間仕切り壁１ａは、この間仕切り壁１ｄと直交するように配置されており、該間仕切り壁１ｄと間仕切り壁１ａにより角部Ａが形成されている。この角部Ａでは、間仕切り壁１ｄの出隅側のパネル７ｂは、直交する間仕切り壁１ａの厚み寸法分大きく形成されている。同様に間仕切り壁１ａの出隅側のパネル７ｂも、直交する間仕切り壁１ｄの厚み寸法分大きく形成されている。そして、それぞれのパネル７ｂにより形成される出隅には、調整部材１６が設けられる。
【００２７】
また、角部Ａを形成する間仕切り壁１ａと図６に示すように、蝶ネジ１７により連結されている図５中右側の間仕切り壁１ａも同様にパネル７ａ、７ｂが基準寸法単位ｔの４倍の幅を有して配置されている間仕切り壁１ｃと直交するように配置されており、該間仕切り壁１ｃと間仕切り壁１ａにより角部Ｂが形成されている。この角部Ｂでは、間仕切り壁１ｃの出隅側のパネル７が、直交する間仕切り壁１ａの厚み寸法分大きく形成されている。同様に、間仕切り壁１ａの出隅側のパネル７ｂも、直交する間仕切り壁１ｃの厚み寸法分大きく形成されている。そして、それぞれのパネル７，７ｂにより形成される出隅には、角部Ａの出隅と同様の調整部材１６が設けられる。
【００２８】
このように、間仕切り壁をその厚み方向についてもモジュール化した構造にすることにより、厚みが異なる間仕切り壁により角部等の交差部が形成される場合でも共通の部材を利用することが可能になるので、内装の設計に必要となる部材の品種を削減することができる。尚、本実施形態では、基準寸法単位ｔを１００ミリに設定した例に基づいて、説明したが、この基準寸法単位ｔは、１００ミリのみに限定されるものではなく、建物のインフィル空間の大きさや用途等を考慮して、適宜設定を変更することも可能である。
【産業上の利用可能性】
【００２９】
本発明に係る間仕切り壁１の構造は、例えば、建物内の内装を設計する際の間仕切りとして好適に利用することができる。
【符号の説明】
【００３０】
１、１ａ、１ｂ、１ｄ            間仕切り壁
１ｃ                            間仕切り壁（収納部）
３                              床面
７、７ａ、７ｂ                  パネル
８                              縦枠材
９                              横枠材
１０、１０ａ、１０ｂ、１０ｃ    枠体
１１                            開口部
１２                            扉
Ａ，Ｂ                          角部
Ｇ                              仮想のグリッド線
Ｓ                              収納空間
ｔ                              基準寸法単位
【図１】
2010189987.tif 000003
【図２】
2010189987.tif 000004
【図３】
2010189987.tif 000005
【図４】
2010189987.tif 000006
【図５】
2010189987.tif 000007
【図６】
2010189987.tif 000008
【図７】
2010189987.tif 000009
【図８】
2010189987.tif 000010